(57)【特許請求の範囲】
【請求項１】
金属箔をプレス成形して形成され、被覆体を覆うように用いられる平板状の金属箔成形体であって、
平面視において、各々が外縁の一部を含む少なくとも３つに分けられた区画部と、
前記区画部の各々同士の境界に形成されると共に、断面が凸状の少なくとも３本の線条部とを備え、
前記線条部の各々の頂点よりなる線分の一部であってその先端側の各々が外周となる閉鎖領域を構成し、
前記線分の他の部分の各々が、他の前記線分の前記他の部分の延長線上に位置しないように前記線条部が配置される、金属箔成形体。
【請求項２】
前記閉鎖領域は、上面が平坦な平坦部を構成する、請求項１記載の金属箔成形体。
【請求項３】
前記区画部は、４本の前記線条部により４つに分けられ、
前記平坦部は、平面視において直角四角形形状を有する、請求項２記載の金属箔成形体。
【請求項４】
前記平坦部を構成する前記線分の前記一部の各々は、前記線分の前記他の部分の各々に対して前記平坦部の中心側に屈曲する、請求項３記載の金属箔成形体。
【請求項５】
前記区画部は、４本の前記線条部により４つに分けられ、
前記平坦部は、平面視において円形形状を有する、請求項２記載の金属箔成形体。
【請求項６】
前記区画部は、３本の前記線条部により３つに分けられ、
前記平坦部は、平面視において三角形形状を有する、請求項２記載の金属箔成形体。
【請求項７】
前記金属箔成形体は、ガスレンジトッププレート覆いであり、前記区画部の各々のいずれかには前記被覆体となるガスレンジのバーナー部に対応するバーナー用開口が形成される、請求項１から請求項６のいずれかに記載の金属箔成形体。
【発明の詳細な説明】
【技術分野】
【０００１】
この発明は金属箔成形体に関し、特に被覆体を覆うように用いられる金属箔成形体に関するものである。
【背景技術】
【０００２】
図１４は、一般の２口形式のガスレンジの概略構造を示す平面図である。
【０００３】
図を参照して、ガスレンジ４０は２口のバーナー部４１ａ及び４１ｂを備えている、いわゆる２口形式のガスレンジである。ガスレンジ４０には図において上方側に、ガスレンジ４０の内部に設置されている調理用グリル（図示せず）からの熱気を排出するためのグリル排気口４２が取付けられている。バーナー部４１ａ及び４１ｂの周囲には、汁受け皿４３ａ及び４３ｂが設けられている。
【０００４】
図１５は、特許文献１に示す、２口形式のガスレンジ用の従来のガスレンジトッププレート覆いの平面図であり、図１６は、図１５で示したガスレンジトッププレート覆いの帯状部を折り曲げた状態を示した斜視図であり、図１７は、図１５及び図１６で示したＸＶＩＩ−ＸＶＩＩラインの端面図であって、その（１）は折り曲げ前の状態を示し、その（２）は折り曲げた状態を示したものである。
【０００５】
まず、図１５を参照して、ガスレンジトッププレート覆い５０は、アルミニウム箔のプレス成形によって形成されており、２口のガスレンジのトッププレートを覆うためのほぼ矩形形状を有するトッププレート覆い部５１と、ガスレンジの汁受け皿の各々を覆うための汁受け皿覆い部５２ａ及び５２ｂとからなる。汁受け皿覆い部５２ａ及び５２ｂの中央部分には、バーナー部を露出するための開口５３ａ及び５３ｂが、それぞれ形成されている。
【０００６】
トッププレート覆い部５１の中央部分には、開口５３ａ及び５３ｂを結ぶ方向を短辺方向とする細長い矩形形状の帯状部５４が形成されており、トッププレート覆い部５１を開口５３ａを含む第１区画５５と開口５３ｂを含む第２区画５６とに分離している。帯状部５４の一対の長辺部分には、谷折りに折り曲げ自在の折り曲げ線５７ａ及び５７ｂが形成され、更に、折り曲げ線５７ａと５７ｂとの間において、折り曲げ線５７ａ及び５７ｂの各々に対して平行かつ等間隔となる位置に山折りに折り曲げ自在の折り曲げ線５８が形成されている。
【０００７】
次に、図１６及び図１７の（１）を参照して、帯状部５４が平坦な状態でのガスレンジトッププレート覆い５０の幅方向の寸法をＷとすると、この状態から折り曲げ線５８と折り曲げ線５７ａ及び５７ｂとをそれぞれ折って図１７の（２）に示すようにその断面形状が逆Ｖ字型になるように折り曲げると、ガスレンジトッププレート覆い５０の幅方向の寸法を、折り曲げられた帯状部５４の分だけ小さくなった（Ｗ−ａ）に変化させることができる。
したがって、帯状部５４を折り曲げない状態で、最もバーナー部間距離が大きいガスレンジに適合する寸法にガスレンジトッププレート覆い５０を構成しておけば、バーナー部間距離がより小さいガスレンジに対しては、帯状部５４の折り曲げ程度を調整することにより、開口５３ａと５３ｂとの距離をバーナー部間距離に応じて変化させることが可能となる。
【先行技術文献】
【特許文献】
【０００８】
【特許文献１】特開２００５−１６７８４号公報
【特許文献２】特開２００１−３４３１３１号公報
【発明の概要】
【発明が解決しようとする課題】
【０００９】
しかし、上記のようなガスレンジトッププレート覆いは、２口形式のレンジには対応できるが、折り曲げを縦横に交差させることができないので３口形式のレンジには対応できない。
【００１０】
尚、３口形式のレンジに対応できるものとしては、以下のものが提案されている。
【００１１】
図１８は、一般の３口形式のガスレンジの概略構成を示す平面図である。
【００１２】
図を参照して、ガスレンジ６０はトッププレート６１の底面の図における上方側にバーナー部６２ａが設置され、その下方側に並列的に２つのバーナー部６２ｂ及び６２ｃが設置されている、いわゆる３口形式のガスレンジ６０である。バーナー部６２ａ、６２ｂ及び６２ｃの各々の周辺には、バーナーリング６３ａ、６３ｂ及び６３ｃの各々が底面の上に設置されている。トッププレート６１の平坦面とバーナー部６２ａ等が取り付けられている底面との接続部は段部となっており、この段部に五徳６４ａ及び６４ｂの枠体が取外し自在に設置されている。バーナー部６２ａの図における上方側には、ガスレンジ６０の下方側に設置されている調理用グリル（図示せず）からの熱気を排出するためのグリル排気口６５が取付けられている。
【００１３】
図１９は、特許文献２に示す、上記のような３口形式のガスレンジ用の従来のガスレンジトッププレート覆いを構成する本体マットの外観形状を示した平面図であり、図２０は、図１９のＸＸ−ＸＸラインの断面図であり、図２１は、図１９で示した本体マットに取り付けられる補助マットの外観形状を示した平面図であり、図２２は、図２１で示したＸＸＩＩ−ＸＸＩＩラインの断面図であり、図２３は、図１９で示した本体マットと図２１で示した補助マットよりなる従来のガスレンジトッププレート覆いの使用状態を示した端面図である。
【００１４】
まず、図１９及び図２０を参照して、本体マット７０は、取付対象となる図１８に示すガスレンジ６０のトッププレート６１の底面の形状に対応する底部７１と、底部７１の外周縁から斜め上方に立ち上がる側壁部７２と、側壁部７２の上端縁から水平方向に伸びるフランジ部７３と、フランジ部７３の外周縁に形成された縁巻７４とから構成される。底部７１の図における上方側には、バーナー部６２ａを露出するのに必要な丸穴７５が形成されている。又、底部７１の図における下方側には、バーナー部６２ｂ及び６２ｃに対応する長穴７６ａ及び７６ｂがそれぞれ形成されている。
【００１５】
丸穴７５が形成されている第１区画７７と長穴７６ａが形成されている第２区画７８及び長穴７６ｂが形成されている第３区画７９との境界にあたる本体マット７０の中央部の水平方向には、伸縮機能を有する蛇腹部８０が形成されている。そして、バーナー部６２ａとバーナー部６２ｂ及び６２ｃとの距離に対して丸穴７５と長穴７６ａ及び７６ｂとの距離が一致していない場合には、蛇腹部８０によってその相違を調整することが可能である。
【００１６】
又、蛇腹部８０の図における下方側における第２区画７８と第３区画７９との境界にあたる本体マット７０の部分には、堰部８１が形成されている。
【００１７】
次に、図２１及び図２２を参照して、補助マット９０は、長穴形状から円形状を引いた三日月形状の内周底部９１が形成され、内周底部９１から図において左方向に円環形状に立ち上がる立ち上がり部９２と立ち上がり部９２の端部に形成された縁巻９３とによって、丸穴９４が構成されている。尚、丸穴９４は対応するバーナー部６２ｂ又は６２ｃを露出させるのみに必要な大きさの円形状となっており、本体マット７０の本体穴（長穴７６ａ及び７６ｂ）に対する補助穴を構成する。
【００１８】
使用時については図２２及び図２３を参照して、本体マット７０の上に補助マット９０を設置してガスレンジトッププレート覆い１００を構成し、補助マット９０を本体マット７０の上に載置した状態で、矢印で示す方向にスライドさせる。このようにすると、本体マット７０の長穴７６から露出するバーナー部６２に対しては、補助マット９０をスライドさせることによってバーナー部６２のみを露出するようにほぼ全てを被覆することが可能となる。よって、３口のバーナー部６２ａ、６２ｂ及び６２ｃの距離の相違を調整することができる。
【００１９】
しかし、上記のようなガスレンジトッププレート覆い１００は、パーツが複数に分かれており、取り扱いが煩雑であると共にコスト面で不利となる。
【００２０】
この発明は、上記のような課題を解決するためになされたもので、被覆体の縦横の寸法に合わせた使用が容易となる金属箔成形体を提供することを目的とする。
【課題を解決するための手段】
【００２１】
上記の目的を達成するために、請求項１記載の発明は、金属箔をプレス成形して形成され、被覆体を覆うように用いられる平板状の金属箔成形体であって、平面視において、各々が外縁の一部を含む少なくとも３つに分けられた区画部と、区画部の各々同士の境界に形成されると共に、断面が凸状の少なくとも３本の線条部とを備え、線条部の各々の頂点よりなる線分の一部であってその先端側の各々が外周となる閉鎖領域を構成し、線分の他の部分の各々が、他の線分の他の部分の延長線上に位置しないように線条部が配置されるものである。
【００２２】
このように構成すると、各区画部同士の間隔を調整できる。
【００２３】
請求項２記載の発明は、請求項１記載の発明の構成において、閉鎖領域は、上面が平坦な平坦部を構成するものである。
【００２４】
このように構成すると、プレスによる変形部分が減少する。
【００２５】
請求項３記載の発明は、請求項２記載の発明の構成において、区画部は、４本の線条部により４つに分けられ、平坦部は、平面視において直角四角形形状を有するものである。
【００２６】
このように構成すると、線条部の配置が設定し易くなる。
【００２７】
請求項４記載の発明は、請求項３記載の発明の構成において、平坦部を構成する線分の一部の各々は、線分の他の部分の各々に対して平坦部の中心側に屈曲するものである。
【００２８】
このように構成すると、線条部が変形し易くなる。
【００２９】
請求項５記載の発明は、請求項２記載の発明の構成において、区画部は、４本の線条部により４つに分けられ、平坦部は、平面視において円形形状を有するものである。
【００３０】
このように構成すると、平坦部の変化が目立たない。
【００３１】
請求項６記載の発明は、請求項２記載の発明の構成において、区画部は、３本の線条部により３つに分けられ、平坦部は、平面視において三角形形状を有するものである。
【００３２】
このように構成すると、線条部は最低数となる。
【００３３】
請求項７記載の発明は、請求項１から請求項６のいずれかに記載の発明の構成において、金属箔成形体は、ガスレンジトッププレート覆いであり、区画部の各々のいずれかには被覆体となるガスレンジのバーナー部に対応するバーナー用開口が形成されるものである。
【００３４】
このように構成すると、バーナー用開口同士の距離を調整できる。
【発明の効果】
【００３５】
以上説明したように、請求項１記載の発明は、各区画部同士の間隔を調整できるので、被覆体の縦横の寸法に合わせた使用が容易となる。
【００３６】
請求項２記載の発明は、請求項１記載の発明の効果に加えて、プレスによる変形部分が減少するので、プレスによる成形が容易になり、生産性が向上する。
【００３７】
請求項３記載の発明は、請求項２記載の発明の効果に加えて、線条部の配置が設定し易くなるので、金属箔成形体の設計が容易となる。
【００３８】
請求項４記載の発明は、請求項３記載の発明の効果に加えて、線条部が変形し易くなるので、区画部同士の間隔の調整が容易となる。
【００３９】
請求項５記載の発明は、請求項２記載の発明の効果に加えて、平坦部の変化が目立たないので、使用勝手が向上する。
【００４０】
請求項６記載の発明は、請求項２記載の発明の効果に加えて、線条部は最低数となるので、プレス箇所が減るため効率的な金属箔成形体となる。
【００４１】
請求項７記載の発明は、請求項１から請求項６のいずれかに記載の発明の効果に加えて、バーナー用開口同士の距離を調整できるので、バーナー部間距離の相違するガスレンジにも適用できるため、使い勝手が向上する。
【図面の簡単な説明】
【００４２】
【図１】この発明の第１の実施の形態によるガスレンジトッププレート覆いの外観形状を示す平面図である。
【図２】図１で示したＩＩ−ＩＩラインの断面図である。
【図３】図１で示したＩＩＩ−ＩＩＩラインの断面図である。
【図４】図１で示したＩＶ−ＩＶラインの断面図である。
【図５】図１で示したＶ−Ｖラインの断面図である。
【図６】図１で示したＶＩ−ＶＩラインの断面図である。
【図７】図１で示した“Ｘ”部分の拡大図であって、区画部が互いに寄り合う動きを示した模式図である。
【図８】図１で示したガスレンジトッププレート覆いの変形後の外観形状を示した平面図である。
【図９】図１で示した“Ｘ”部分の拡大図であって、区画部が互いに離れ合う動きを示した模式図である。
【図１０】この発明の第２の実施の形態によるガスレンジトッププレート覆いの閉鎖領域周辺の動きを示した拡大模式図であって、先の第１の実施の形態の図７に対応する図である。
【図１１】この発明の第３の実施の形態によるガスレンジトッププレート覆いの閉鎖領域周辺の動きを示した拡大模式図であって、先の第１の実施の形態の図７に対応する図である。
【図１２】この発明の第４の実施の形態によるガスレンジトッププレート覆いの外観形状を示す平面図であって、先の第１の実施の形態の図１に対応する図である。
【図１３】図１２に示す“Ｙ”部分の拡大図であって、区画部が互いに寄り合う動きを示した模式図である。
【図１４】一般の２口形式のガスレンジの概略構造を示す平面図である。
【図１５】特許文献１に示す、２口形式のガスレンジ用の従来のガスレンジトッププレート覆いの平面図である。
【図１６】図１５で示したガスレンジトッププレート覆いの帯状部を折り曲げた状態を示した斜視図である。
【図１７】図１５及び図１６で示したＸＶＩＩ−ＸＶＩＩラインの端面図であって、その（１）は折り曲げ前の状態を示し、その（２）は折り曲げた状態を示したものである。
【図１８】一般の３口形式のガスレンジの概略構成を示す平面図である。
【図１９】特許文献２に示す、３口形式のガスレンジ用の従来のガスレンジトッププレート覆いを構成する本体マットの外観形状を示した平面図である。
【図２０】図１９のＸＸ−ＸＸラインの断面図である。
【図２１】図１９で示した本体マットに取り付けられる補助マットの外観形状を示した平面図である。
【図２２】図２１で示したＸＸＩＩ−ＸＸＩＩラインの断面図である。
【図２３】図１９で示した本体マットと図２１で示した補助マットよりなる従来のガスレンジトッププレート覆いの使用状態を示した端面図である。
【発明を実施するための形態】
【００４３】
図１は、この発明の第１の実施の形態によるガスレンジトッププレート覆いの外観形状を示す平面図であり、図２は、図１で示したＩＩ−ＩＩラインの断面図であり、図３は、図１で示したＩＩＩ−ＩＩＩラインの断面図であり、図４は、図１で示したＩＶ−ＩＶラインの断面図であり、図５は、図１で示したＶ−Ｖラインの断面図であり、図６は、図１で示したＶＩ−ＶＩラインの断面図である。
【００４４】
まず、図１を参照して、ガスレンジトッププレート覆い１はアルミニウム箔をプレス成形して形成され、図１８にて示した３口形式のガスレンジ６０のトッププレート６１を被覆体とし、これを覆うのに用いられる平板状の金属箔成形体である。
【００４５】
ガスレンジトッププレート覆い１には、被覆体であるガスレンジ６０のトッププレート６１の形状に対応する底部３と、底部３の外周縁から斜め上方に立ち上がる側壁部４とが形成され、平面視において各々が外縁５の一部を含む６つの区画部１１ａ、１１ｂ、１１ｃ、１１ｄ、１１ｅ及び１１ｆを備える。
【００４６】
このように構成すると、いずれの区画部１１ａ、１１ｂ、１１ｃ、１１ｄ、１１ｅ及び１１ｆにおいて吹きこぼれ等による汚れが付着しても、側壁部４によりガスレンジトッププレート覆い１の外側に汚れが拡大しにくくなる。
【００４７】
次に、図１から図６の各々を参照して、区画部１１ａ、１１ｂ、１１ｃ、１１ｄ、１１ｅ及び１１ｆの各々同士の境界には、断面が山型形状であって平面視直線状の線条部２１ａ、２１ｂ、２１ｃ、２１ｄ、２１ｅ、２１ｆ及び２１ｇが形成されている。尚、２１ａ、２１ｂ、２１ｃ、２１ｄ、２１ｅ、２１ｆ及び２１ｇの各々が堰の役割を果たすので、区画部１１ａ、１１ｂ、１１ｃ、１１ｄ、１１ｅ及び１１ｆの各々に付着した汚れは、汚れが付着した区画部１１ａ、１１ｂ、１１ｃ、１１ｄ、１１ｅ及び１１ｆの各々を超えて拡大しにくくなる。線条部２１ａ、２１ｂ及び２１ｃの各々の頂点よりなる先端側の線分の一部２２ａ、２２ｂ及び２２ｃと、線条部２１ｇの頂点よりなる一方端部側の線分の一部２３とは、各々が外周となる閉鎖領域３１ａを、線条部２１ｄ、２１ｅ及び２１ｆの各々の頂点よりなる先端側の線分の一部２２ｄ、２２ｅ及び２２ｆと線条部２１ｇの頂点よりなる他方端部側の線分の一部２４とは、閉鎖領域３１ｂをそれぞれ構成する。尚、閉鎖領域３１ａ及び３１ｂは、平面視において直角四角形形状を有する。
【００４８】
すなわち、ガスレンジトッププレート覆い１は、閉鎖領域３１ａを中心に４つの区画部１１ａ、１１ｂ、１１ｄ及び１１ｅに分けられると共に、閉鎖領域３１ｂを中心に４つの区画部１１ａ、１１ｃ、１１ｅ及び１１ｆに分けられている。
【００４９】
このように構成すると、線条部２１ａ、２１ｂ、２１ｃ、２１ｄ、２１ｅ、２１ｆ及び２１ｇの配置が設定し易くなるので、金属箔成形体としてのガスレンジトッププレート覆い１の設計が容易となる。
【００５０】
閉鎖領域３１ａ及び３１ｂは、上面が平坦な平坦部３２ａ及び３２ｂをそれぞれ構成する。このように構成すると、それらの部分が凹んだ形状に比べてプレスによる変形部分が減少するので、プレスによる成形が容易になり、生産性が向上する。
【００５１】
線条部２１ａ、２１ｂ、２１ｃ、２１ｄ、２１ｅ、２１ｆ及び２１ｇは、各々の頂点よりなる線分の他の部分２６ａ、２６ｂ、２６ｃ、２６ｄ、２６ｅ、２６ｆ及び２６ｇの各々が、それぞれ己以外の線分の他の部分２６ａ、２６ｂ、２６ｃ、２６ｄ、２６ｅ、２６ｆ及び２６ｇの延長線上に位置しないように配置されている。
【００５２】
このように構成すると、後述するように各区画部１１ａ、１１ｂ、１１ｃ、１１ｄ、１１ｅ及び１１ｆ同士の間隔を調整できるので、被覆体であるガスレンジ６０のトッププレート６１の縦横寸法に合わせた使用が容易となる。
【００５３】
又、区画部１１ａにはガスレンジ６０のバーナー部６２ａに対応するバーナー用開口１２ａが、区画部１１ｂにはガスレンジ６０のバーナー部６２ｂに対応するバーナー用開口１２ｂが、区画部１１ｃにはガスレンジ６０のバーナー部６２ｃに対応するバーナー用開口１２ｃが、それぞれ形成されている。このように構成したことによる効果は後述する。
【００５４】
尚、ガスレンジトッププレート覆い１の形状は左右対称であるが非対称でも良い。
【００５５】
図７は、図１で示した“Ｘ”部分の拡大図であって、区画部が互いに寄り合う動きを示した模式図である。
【００５６】
まず、図７の（１）及び（２）を参照して、図７の（１）に示す変形前の区画部１１ａ及び１１ｂに対して、図７の（２）の長矢印で示すように、区画部１１ａ及び１１ｂ同士を近づけるような力を加える。すると、断面山型形状の線条部２１ｂ及び２１ｇの幅が狭まると共に、線条部２１ａが区画部１１ｂの側に、線条部２１ｃが区画部１１ａの側に、それぞれ押し出される。
【００５７】
すると、上述したように線条部２１ａ及び２１ｃは、各々の線分の他の部分２６ａ及び２６ｃが、互いの延長線上にないように配置されているから、線分の一部２２ａを介して閉鎖領域３１ａの角部３３ａに図の短矢印で示す力が、線分の一部２２ｃを介して閉鎖領域３１ａの角部３３ｃに図の短矢印で示す力が、それぞれ加わる。すなわち、閉鎖領域３１ａの一組の対角の各々に互いに逆向きの力が加わり、閉鎖領域３１ａは平面視反時計回りに回転する。そしてこの回転により、閉鎖領域３１ａの位置及び閉鎖領域３１ａの周辺の線条部２１ａ、２１ｂ、２１ｃ及び２１ｇの形状が、図の一点鎖線で示すものから図の実線で示すものに変形し、区画部１１ａ及び１１ｂ同士の間隔が狭まることになる。
【００５８】
尚、図７の（１）に示す変形前の区画部１１ｄ及び１１ｅに対して、区画部１１ｄ及び１１ｅを互いに近づけるような力を加えたときにも同様の変形が起こる。
【００５９】
次に、図７の（２）及び（３）を参照して、図７の（２）に示す状態の区画部１１ｄ及び１１ｅに対して、図７の（３）の長矢印で示すように、区画部１１ｄ及び１１ｅを互いに近づけるような力を加える。すると、断面山型形状の線条部２１ａ及び２１ｃの幅が狭まると共に、線条部２１ｂが区画部１１ｅの側に、線条部２１ｇが区画部１１ｂの側に、それぞれ押し出される。
【００６０】
すると、線条部２１ｂ及び２１ｇの位置関係は線条部２１ａ及び２１ｃと同様であるから、線分の一部２２ｂを介して閉鎖領域３１ａの角部３３ｂに図の短矢印で示す力が、一方端部側の線分の一部２３を介して閉鎖領域３１ａの角部３３ｄに図の短矢印で示す力がそれぞれ加わり、閉鎖領域３１ａは平面視反時計回りに更に回転する。そしてこの回転により、閉鎖領域３１ａの位置及び閉鎖領域３１ａの周辺の線条部２１ａ、２１ｂ、２１ｃ及び２１ｇの形状は、図の一点鎖線で示すものから図の実線で示すものに変形し、区画部１１ｄ及び１１ｅ同士の間隔が狭まることになる。尚、左右、上下に同時に力を加えても同様に、区画部１１ａ、１１ｂ、１１ｄ及び１１ｅの各々は閉鎖領域３１ａを中心として互いに寄り合う。
【００６１】
図８は、図１で示したガスレンジトッププレート覆いの変形後の外観形状を示した平面図である。
【００６２】
図を参照して、ガスレンジトッププレート覆い１は、線条部２１ａ、２１ｂ、２１ｃ、２１ｄ、２１ｅ、２１ｆ及び２１ｇの各々の幅が狭まり閉鎖領域３１ａ及び３１ｂの各々が回転することで、区画部１１ａ、１１ｂ、１１ｃ、１１ｄ、１１ｅ及び１１ｆの各々がガスレンジトッププレート覆い１の中心に寄り、図の一点鎖線で示すものから図の実線で示すものに変形している。すると、この変形に伴ってバーナー用開口１２ａ、１２ｂ及び１２ｃの各々がガスレンジトッププレート覆い１の中心側に移動し、バーナー用開口１２ａの中心からバーナー用開口１２ｂの中心までの距離が、変形前の距離Ｄ１から、距離Ｄ１より短い距離ｄ１に縮まる。又、上述したように、ガスレンジトッププレート覆い１の形状は左右対称であるから、バーナー用開口１２ａの中心からバーナー用開口１２ｃの中心までの距離も距離Ｄ１から距離ｄ１に縮まる。更に、バーナー用開口１２ｂの中心からバーナー用開口１２ｃの中心までの距離が、変形前の距離Ｄ２から、距離Ｄ２より短い距離ｄ２に縮まる。
【００６３】
このようにすると、ガスレンジのトッププレートの寸法に合わせて、バーナー用開口１２ａ、１２ｂ及び１２ｃが設けられた区画部１１ａ、１１ｂ及び１１ｃの各々を縦にも横にも調整することができる。すなわち、バーナー用開口１２ａ、１２ｂ及び１２ｃの距離を調整できるので、３口以上のバーナー部間距離の相違するガスレンジにも適用できるため、使い勝手が向上する。
【００６４】
図９は、図１で示した“Ｘ”部分の拡大図であって、区画部が互いに離れ合う動きを示した模式図である。
【００６５】
まず、図９の（１）及び（２）を参照して、図９の（１）に示す変形前の区画部１１ａ及び１１ｂに対して、図７の（２）の長矢印で示すように、区画部１１ａ及び１１ｂ同士を離れさせるような力を加える。すると、断面山型形状の線条部２１ｂ及び２１ｇの幅が広がると共に、線条部２１ａが区画部１１ａの側に、線条部２１ｃが区画部１１ｂの側に、それぞれ引っ張られる。
【００６６】
すると、線条部２１ａ及び２１ｃは上述のように配置されているから、線分の一部２２ａを介して閉鎖領域３１ａの角部３３ｄに図の短矢印で示す力が、線分の一部２２ｃを介して閉鎖領域３１ａの角部３３ｂに図の短矢印で示す力が、それぞれ加わる。よって、閉鎖領域３１ａの一組の対角の各々に互いに逆向きの力が加わるので、閉鎖領域３１ａは平面視時計回りに回転する。そしてこの回転により、閉鎖領域３１ａの位置及び閉鎖領域３１ａの周辺の線条部２１ａ、２１ｂ、２１ｃ及び２１ｇの形状が、図の一点鎖線で示すものから図の実線で示すものに変形し、区画部１１ａ及び１１ｃ同士の間隔が広がることになる。
【００６７】
尚、図９の（１）に示す変形前の区画部１１ｄ及び１１ｅに対して、区画部１１ｄ及び１１ｅを互いに離れるような力を加えたときにも同様の変形が起こる。
【００６８】
次に、図９の（２）及び（３）を参照して、図９の（２）に示す状態の区画部１１ｄ及び１１ｅに対して、図９の（３）の長矢印で示すように、区画部１１ｄ及び１１ｅを互いに離れさせるような力を加える。すると、断面山型形状の線条部２１ａ及び２１ｃの幅が広がると共に、線条部２１ｂが区画部１１ｄの側に、線条部２１ｇが区画部１１ｅの側に、それぞれ引っ張られる。
【００６９】
すると、線条部２１ｂ及び２１ｇの位置関係は線条部２１ａ及び２１ｃと同様であるから、線分の一部２２ｂを介して閉鎖領域３１ａの角部３３ａに図の短矢印で示す力が、一方端部側の線分の一部２３を介して閉鎖領域３１ａの角部３３ｃに図の短矢印で示す力がそれぞれ加わり、閉鎖領域３１ａは平面視時計回りに更に回転する。そしてこの回転により、閉鎖領域３１ａの位置及び閉鎖領域３１ａの周辺の線条部２１ａ、２１ｂ、２１ｃ及び２１ｇの形状は、図の一点鎖線で示すものから図の実線で示すものに変形し、区画部１１ｄ及び１１ｅ同士の間隔が広がることになる。尚、左右、上下に同時に力を加えても同様に、区画部１１ａ、１１ｂ、１１ｄ及び１１ｅの各々は閉鎖領域３１ａを中心として互いに離れ合う。
【００７０】
このようにすると、図１に示すガスレンジトッププレート覆い１は、図１の状態を基に一定の範囲で伸縮可能のものとなる。
【００７１】
図１０は、この発明の第２の実施の形態によるガスレンジトッププレート覆いの閉鎖領域周辺の動きを示した拡大模式図であって、先の第１の実施の形態の図７に対応する図である。
【００７２】
まず、図１０の（１）を参照して、第１の実施の形態によるガスレンジトッププレート覆い１において、閉鎖領域３１ａの平坦部３２ａを構成する線分の一部２２ａ、２２ｂ及び２２ｃ及び一方端部側の線分の一部２３の各々が、線分の他の部分２６ａ、２６ｂ、２６ｃ及び２６ｇの各々に対して平坦部３２ａの中心側に屈曲したものに、置き換わっている。又、図１に示した閉鎖領域３１ｂの平坦部３２ｂを構成する線分の一部２２ｄ、２２ｅ及び２２ｆ及び他方端部側の線分の一部２４の各々も同様の構成のものに置き換わっている。尚、他のガスレンジトッププレート覆い１の構成要素は第１の実施の形態によるものと同一であるため、ここでの説明は繰り返さない。
【００７３】
次に、図１０の（１）及び（２）を参照して、図１０の（１）に示す変形前の区画部１１ａ及び１１ｂに対して、図１０の（２）の長矢印で示すように、区画部１１ａ及び１１ｂ同士を近づけるような力を加える。すると、線条部２１ｂ及び２１ｇの幅が狭まると共に、線条部２１ａが区画部１１ｂの側に、線条部２１ｃが区画部１１ａの側に、それぞれ押し出される。
【００７４】
すると、線条部２１ａ及び２１ｃの配置は第１の実施の形態によるものと同一であるから、線分の一部２２ａを介して閉鎖領域３１ａの角部３３ａに図の短矢印で示す力が、線分の一部２２ｃを介して閉鎖領域３１ａの角部３３ｃに図の短矢印で示す力がそれぞれ加わり、閉鎖領域３１ａは平面視反時計回りに回転する。そしてこの回転により、閉鎖領域３１ａの位置及び閉鎖領域３１ａの周辺の線条部２１ａ、２１ｂ、２１ｃ及び２１ｇの形状が、図の一点鎖線で示すものから図の実線で示すものに変形し、区画部１１ａ及び１１ｂ同士の間隔が狭まることになる。この時、線分の一部２２ａ、２２ｂ及び２２ｃ及び一方端部側の線分の一部２３の各々はすでに屈曲した構成となっているから、線条部２１ａ、２１ｂ、２１ｃ及び２１ｇは変形（より屈曲）し易くなっている。このように構成したことによる効果は後述する。
【００７５】
尚、図１０の（１）に示す変形前の区画部１１ｄ及び１１ｅに対して、区画部１１ｄ及び１１ｅを互いに近づけるような力を加えたときにも同様の変形が起こる。
【００７６】
次に、図１０の（２）及び（３）を参照して、図１０の（２）に示す状態の区画部１１ｄ及び１１ｅに対して、図１０の（３）の長矢印で示すように、区画部１１ｄ及び１１ｅを互いに近づけるような力を加える。すると、線条部２１ａ及び２１ｃの幅が狭まると共に、線条部２１ｂが区画部１１ｅの側に、線条部２１ｇが区画部１１ｄの側に、それぞれ押し出される。
【００７７】
すると、線条部２１ｂ及び２１ｇの位置関係は線条部２１ａ及び２１ｃと同様であるから、線分の一部２２ｂを介して閉鎖領域３１ａの角部３３ｂに図の短矢印で示す力が、一方端部側の線分の一部２３を介して閉鎖領域３１ａの角部３３ｄに図の短矢印で示す力がそれぞれ加わり、閉鎖領域３１ａは平面視反時計回りに更に回転する。そしてこの回転により、閉鎖領域３１ａの位置及び閉鎖領域３１ａの周辺の線条部２１ａ、２１ｂ、２１ｃ及び２１ｇの形状が、図の一点鎖線で示すものから図の実線で示すものに変形し、区画部１１ｄ及び１１ｅ同士の間隔が狭まることになる。尚、上述したように線条部２１ａ、２１ｂ、２１ｃ及び２１ｇに加え、図１に示した線条部２１ｄ、２１ｅ及び２１ｆは変形し易くなっているので、第２の実施の形態によるガスレンジトッププレート覆い１は、区画部１１ａ、１１ｂ、１１ｃ、１１ｄ、１１ｅ及び１１ｆ同士の間隔の調整が容易となる。又、左右、上下に同時に力を加えても同様に、区画部１１ａ、１１ｂ、１１ｄ及び１１ｅの各々は閉鎖領域３１ａを中心として互いに寄り合う。更に、区画部１１ａ、１１ｂ、１１ｄ及び１１ｅの各々に互いに離れさせるような力を加えると、線条部２１ａ、２１ｂ、２１ｃ及び２１ｇの各々の幅が広がり、閉鎖領域３１ａは平面視時計回りに回転するので、区画部１１ａ、１１ｂ、１１ｄ及び１１ｅ同士の間隔を広げることも可能である。
【００７８】
図１１は、この発明の第３の実施の形態によるガスレンジトッププレート覆いの閉鎖領域周辺の動きを示した拡大模式図であって、先の第１の実施の形態の図７に対応する図である。
【００７９】
まず、図１１の（１）を参照して、第１の実施の形態によるガスレンジトッププレート覆い１において、閉鎖領域３１ａの平坦部３２ａが、平面視において円形形状を有するものに置き換わっている。又、閉鎖領域３１ｂの平坦部３２ｂも平坦部３２ａと同様の構成のものに置き換わっている。尚、他のガスレンジトッププレート覆い１の構成要素は第１の実施の形態によるものと同一であるため、ここでの説明は繰り返さない。
【００８０】
次に、図１１の（１）及び（２）を参照して、図１１の（１）に示す変形前の区画部１１ａ及び１１ｂに対して、図１１の（２）の長矢印で示すように、区画部１１ａ及び１１ｂ同士を近づけるような力を加える。すると、線条部２１ｂ及び２１ｇの幅が狭まると共に、線条部２１ａが区画部１１ｂの側に、線条部２１ｃが区画部１１ａの側に、それぞれ押し出される。
【００８１】
すると、線条部２１ａ及び２１ｃの配置は第１の実施の形態によるものと同一であるから、閉鎖領域３１ａは平面視反時計回りに回転する。そしてこの回転により、閉鎖領域３１ａの周辺の線条部２１ａ、２１ｂ、２１ｃ及び２１ｇの形状が、図の一点鎖線で示すものから図の実線で示すものに変形し、区画部１１ａ及び１１ｂ同士の間隔が狭まることになる。この時、上述したように平坦部３２ａの形状は平面視において円形形状となっているから、平坦部３２ａの変化が目立たないので、使用勝手が向上する。
【００８２】
尚、図１１の（１）に示す変形前の区画部１１ｄ及び１１ｅに対して、区画部１１ｄ及び１１ｅを互いに近づけるような力を加えたときにも同様の変形が起こる。
【００８３】
次に、図１１の（２）及び（３）を参照して、図１１の（２）に示す状態の区画部１１ｄ及び１１ｅに対して、図１１の（３）の長矢印で示すように、区画部１１ｄ及び１１ｅを互いに近づけるような力を加える。すると、線条部２１ａ及び２１ｃの幅が狭まると共に、線条部２１ｂが区画部１１ｅの側に、線条部２１ｇが区画部１１ｄの側に、それぞれ押し出される。
【００８４】
すると、線条部２１ｂ及び２１ｇの位置関係は線条部２１ａ及び２１ｃと同様であるから、閉鎖領域３１ａは平面視反時計回りに更に回転する。そしてこの回転により、閉鎖領域３１ａの周辺の線条部２１ａ、２１ｂ、２１ｃ及び２１ｇの形状が、図の一点鎖線で示すものから図の実線で示すものに変形し、区画部１１ｄ及び１１ｅ同士の間隔が狭まることになる。尚、左右、上下に同時に力を加えても同様に、区画部１１ａ、１１ｂ、１１ｄ及び１１ｅの各々は閉鎖領域３１ａを中心として互いに寄り合う。又、区画部１１ａ、１１ｂ、１１ｄ及び１１ｅの各々に互いに離れさせるような力を加えると、線条部２１ａ、２１ｂ、２１ｃ及び２１ｇの各々の幅が広がり、閉鎖領域３１ａは平面視時計回りに回転するので、区画部１１ａ、１１ｂ、１１ｄ及び１１ｅ同士の間隔を広げることも可能である。
【００８５】
図１２は、この発明の第４の実施の形態によるガスレンジトッププレート覆いの外観形状を示す平面図であって、先の第１の実施の形態の図１に対応する図である。
【００８６】
図を参照して、ガスレンジトッププレート覆い１は、線条部２１ａ、２１ｂ及び２１ｃにより３つの区画部１１ａ、１１ｂ及び１１ｃに分けられている。尚、線条部２１ａ、２１ｂ及び２１ｃの各々は、各々の線分の他の部分２６ａ、２６ｂ及び２６ｃが、己以外の線分の他の部分２６ａ、２６ｂ及び２６ｃの延長線上にしないように配置されている。閉鎖領域３１の平坦部３２は、平面視において三角形形状を有する。尚、他のガスレンジトッププレート覆い１の構成要素は第１の実施の形態によるものと同一であるため、ここでの説明は繰り返さない。
【００８７】
このように構成すると、線条部２１ａ、２１ｂ及び２１ｃは最低数となるので、プレス箇所が減るため効率的なガスレンジトッププレート覆い１となる。
【００８８】
図１３は、図１２に示す“Ｙ”部分の拡大図であって、区画部が互いに寄り合う動きを示した模式図である。
【００８９】
まず、図１３の（１）及び（２）を参照して、図１３の（１）に示す変形前の区画部１１ａに対して、図１３の（２）の長矢印で示すように、区画部１１ｂ及び１１ｃに近づけるような力を加える。すると、線条部２１ａ及び２１ｂの幅が狭まると共に、線条部２１ｃが相対的に区画部１１ａの側に押し出される。
【００９０】
すると、線条部２１ａ、２１ｂ及び２１ｃの配置は上述の通りであるから、線分の一部２２ｃを介して閉鎖領域３１の角部３３ｃに図の短矢印で示す力が加わり、閉鎖領域３１は平面視反時計回りに回転する。そしてこの回転により、閉鎖領域３１の位置及び閉鎖領域３１の周辺の線条部２１ａ、２１ｂ及び２１ｃの形状が、図の一点鎖線で示すものから図の実線で示すものに変形し、区画部１１ａと区画部１１ｂ及び１１ｃ同士の間隔が狭まることになる。
【００９１】
尚、図１３の（１）に示す変形前の区画部１１ｂに対して、区画部１１ａ及び１１ｃに近づけるような力を加えたとき、及び、変形前の区画部１１ｃに対して、区画部１１ａ及び１１ｂに近づけるような力を加えたときにも、同様の変形が起こる。
【００９２】
次に、図１３の（２）及び（３）を参照して、図１３の（２）に示す状態の区画部１１ｂ及び１１ｃに対して、図１３の（３）の長矢印で示すように、区画部１１ｂ及び１１ｃを互いに近づけるような力を加える。すると、線条部２１ｃの幅が狭まると共に、線条部２１ａが相対的に区画部１１ｂの側に、線条部２１ｂが相対的に区画部１１ｃの側に、それぞれ押し出される。
【００９３】
すると、線条部２１ａ、２１ｂ及び２１ｃの配置は上述の通りであるから、線分の一部２２ａを介して閉鎖領域３１の角部３３ａに図の短矢印で示す力が、線分の一部２２ｂを介して閉鎖領域３１の角部３３ｂに図の短矢印で示す力がそれぞれ加わり、閉鎖領域３１は平面視反時計回りに更に回転する。そしてこの回転により、閉鎖領域３１の位置及び閉鎖領域３１の周辺の線条部２１ａ、２１ｂ及び２１ｃの形状は、図の一点鎖線で示すものから図の実線で示すものに変形し、区画部１１ｂ及び１１ｃ同士の間隔が狭まることになる。尚、左右、上下に同時に力を加えても同様に、区画部１１ａ、１１ｂ及び１１ｃの各々は閉鎖領域３１を中心として互いに寄り合う。又、区画部１１ａ、１１ｂ及び１１ｃの各々に互いに離れさせるような力を加えると、線条部２１ａ、２１ｂ及び２１ｃの各々の幅が広がり、閉鎖領域３１は平面視時計回りに回転するので、区画部１１ａ、１１ｂ及び１１ｃ同士の間隔を広げることも可能である。
【００９４】
尚、上記の各実施の形態では、金属箔成形体はアルミニウム箔よりなるガスレンジトッププレート覆いとしていたが、被覆体を覆う目的で使用されるものであれば他のものであっても良く、他の金属箔よりなるものであっても良い。
【００９５】
又、上記の各実施の形態では、閉鎖領域を中心として３つ又は４つの区画部に分けられていたが、各々が外縁の一部を含む少なくとも３つに分けられた区画部を備えていれば良く、それ以上の数の区画部に分けられていても良い。
【００９６】
更に、上記の各実施の形態では、線条部は閉鎖領域を中心に３本又は４本形成されていたが、少なくとも３本形成されていれば良く、それ以上の本数の線条部が形成されていても良い。
【００９７】
更に、上記の各実施の形態では、線条部は直線状に形成されていたが、曲線状に形成されていても良い。
【００９８】
更に、上記の各実施の形態では、平坦面の形状は、直角四角形形状、円形形状、三角形形状のいずれかを有していたが、これら以外の形状を有するものであっても良い。
【００９９】
更に、上記の各実施の形態では、閉鎖領域の上面は、平坦な平坦部を構成していたが、線条部に対応した凹凸のある形状であっても良い。
【０１００】
更に、上記の各実施の形態では、線条部の断面は山型形状をなしていたが、凸状であれば上面が平坦であるなど他の形状であっても良い。尚、上面が平坦の場合は太幅の線分となる。
【０１０１】
更に、上記の各実施の形態では、線条部の断面は山型形状すなわち凸状であったが、谷型形状を含む凹状であっても良い。
【０１０２】
更に、上記の各実施の形態では、側壁部が形成されていたが、無くても良い。その場合、天板がフラットなガスレンジにも適用することができる。
【符号の説明】
【０１０３】
１…ガスレンジトッププレート覆い
１１ａ、１１ｂ、１１ｃ、１１ｄ、１１ｅ、１１ｆ…区画部
１２ａ、１２ｂ、１２ｃ…バーナー用開口
２１ａ、２１ｂ、２１ｃ、２１ｄ、２１ｅ、２１ｆ、２１ｇ…線条部
２２ａ、２２ｂ、２２ｃ、２２ｄ、２２ｅ、２２ｆ…線分の一部
２３…一方端部側の線分の一部
２４…他方端部側の線分の一部
２６ａ、２６ｂ、２６ｃ、２６ｄ、２６ｅ、２６ｆ、２６ｇ…線分の他の部分
３１ａ、３１ｂ…閉鎖領域
３２ａ、３２ｂ…平坦部
６０…ガスレンジ
６２ａ、６２ｂ、６２ｃ…バーナー部
尚、各図中同一符号は同一又は相当部分を示す。
【図１】
0005758246.tif 000002
【図２】
0005758246.tif 000003
【図３】
0005758246.tif 000004
【図４】
0005758246.tif 000005
【図５】
0005758246.tif 000006
【図６】
0005758246.tif 000007
【図７】
0005758246.tif 000008
【図８】
0005758246.tif 000009
【図９】
0005758246.tif 000010
【図１０】
0005758246.tif 000011
【図１１】
0005758246.tif 000012
【図１２】
0005758246.tif 000013
【図１３】
0005758246.tif 000014
【図１４】
0005758246.tif 000015
【図１５】
0005758246.tif 000016
【図１６】
0005758246.tif 000017
【図１７】
0005758246.tif 000018
【図１８】
0005758246.tif 000019
【図１９】
0005758246.tif 000020
【図２０】
0005758246.tif 000021
【図２１】
0005758246.tif 000022
【図２２】
0005758246.tif 000023
【図２３】
0005758246.tif 000024